(57)【要約】【課題】本発明は、様々な部位に対応でき、部品や組み立てにかかるコストの低いＦＦＣ配索支持装置を提供することを目的とする。【解決手段】本発明に係るフレキシブルフラットケーブル配索支持装置１００は、Ｈ字状のリンク部材１０を連結し、リンク部材１０の横材の表面と裏面に交互にフレキシブルフラットケーブル２０を配置する。連結部は回転可能に構成されており、これにより伸縮が可能となる。また様々な形状に合わせてフレキシブルフラットケーブル２０を配索することが可能となる。【選択図】図４
2008211936.tif 000002
【特許請求の範囲】
【請求項１】
並列された一対の縦材及び該一対の縦材を接合する横材からなるＨ字状のリンク部材が、縦材の端部が互いに回動可能に結合することによって、複数連結され、
フレキシブルフラットケーブルの表面及び裏面が交互に前記連結されたリンク部材の横材に接するように、フレキシブルフラットケーブルを収容可能に構成されていることを特徴とするフレキシブルフラットケーブル配索支持装置。
【請求項２】
前記縦材は、長手方向一方側の端部近傍が肉薄となるようにその外側に第１段部が形成され、長手方向他方側の端部近傍が肉薄となるようにその内側に第２段部が形成され、第１段部よりも一方側の第１肉薄部及び第２段部よりも他方側の第２肉薄部のいずれかの一方の段部側には、突起が形成され、他方の段部側には、該突起が嵌合可能な窪み部が形成され、前記第１肉薄部と他の縦材の第２肉薄部が重なり、前記突起が前記窪み部に嵌合することによって他の縦材と回動可能に結合されるように構成されていることを特徴とする請求項１記載のフレキシブルフラットケーブル配索支持装置。
【請求項３】
前記突起の端部側には、テーパ部が形成され、前記窪み部が形成された肉薄部の端部の段部側には、テーパ部が形成されていることを特徴とする請求項２記載のフレキシブルフラットケーブル配索支持装置。
【請求項４】
前記第１肉薄部の端部の一方の角がＲ状に形成され、前記第１段部の前記第１肉薄部のＲ状に形成された側の角が面取されており、
前記第２肉薄部の端部の前記第１肉薄部のＲ状に形成された側と反対側の角がＲ状に形成され、前記第２段部の前記第２肉薄部のＲ状に形成された側の角が面取されており、
前記第１肉薄部の端部のＲ状に形成された角の近傍の側面と他のリンク部材の前記第２段部の面取された角が当接するとともに、前記第２肉薄部のＲ状に形成された角の近傍の側面と他のリンク部材の前記第１段部の面取された角が当接し、かつ前記Ｒ状に形成された角と、対面する他のリンク部材の前記面取された角が同側に位置するように、リンク部材が連結されるように構成されていることを特徴とする請求項１乃至３いずれか記載のフレキシブルフラットケーブル配索支持装置。
【発明の詳細な説明】
【技術分野】
【０００１】
本発明は、ケーブルの支持装置に関し、特にフレキシブルフラットケーブルの配索支持装置に関するものである。
【背景技術】
【０００２】
従来、自動車等に電気的な配線を施す際にはフレキシブルフラットケーブル（以下、ＦＦＣとする）を使用している。しかし、ＦＦＣが支持装置のないまま可動部に配索されると、開閉部に挟まれたり、狭い隙間に入り込んだりする事態が容易に発生しうる。ＦＦＣが挟まれたり、引き込まれたりすると、損傷して故障の原因となる。そのため、ＦＦＣを様々な部位の形状に合わせる形で適切に配索するために、ケーブルの配索支持構造の発明がなされている（特許文献１及び２参照）。
【特許文献１】特開２００４−２５９９９号公報
【特許文献２】特許第３２３９３３２号公報
【発明の開示】
【発明が解決しようとする課題】
【０００３】
しかし、上記特許文献１及び２に係る発明は、その配索部位が限定され汎用性が低く、また、多くの種類の部品により構成されるため部品及び組み立てのコストが高いという課題があった。そして、ケーブルの端部の移動には対応できるものの、その配索支持構造は伸縮に対応することができなかった。
【０００４】
そこで、本発明は、様々なケーブル配索の形状に対応でき、部品や組み立てにかかるコストの低いＦＦＣの配索支持装置を提供することを目的とする。
【課題を解決するための手段】
【０００５】
本発明に係るフレキシブルフラットケーブル配索支持装置は、並列された一対の縦材及び該一対の縦材を接合する横材からなるＨ字状のリンク部材が、縦材の端部が互いに回動可能に結合することによって、複数連結され、フレキシブルフラットケーブルの表面及び裏面が交互に前記連結されたリンク部材の横材に接するように、フレキシブルフラットケーブルを収容可能に構成されていることを特徴とする。
【０００６】
本発明によれば、様々なケーブル配索の形状に対応することができるＦＦＣの配索支持装置を提供することができる。特に、ＦＦＣをリンク部材の横材の表面と裏面に交互に配することにより、このケーブル配索支持装置はケーブルの伸縮にも対応することができる。また、１種類のリンク部材を結合するものであるので、部品及び組み立てのコストを低減することができる。
【０００７】
本発明に係るフレキシブルフラットケーブル配索支持装置において、前記縦材は、長手方向一方側の端部近傍が肉薄となるようにその外側に第１段部が形成され、長手方向他方側の端部近傍が肉薄となるようにその内側に第２段部が形成され、第１段部よりも一方側の第１肉薄部及び第２段部よりも他方側の第２肉薄部のいずれかの一方の段部側には、突起が形成され、他方の段部側には、該突起が嵌合可能な窪み部が形成され、前記第１肉薄部と他の縦材の第２肉薄部が重なり、前記突起が前記窪み部に嵌合することによって他の縦材と回動可能に結合されるように構成されていても良いし、また、前記突起の端部側には、テーパ部が形成され、前記窪み部が形成された肉薄部の端部の段部側には、テーパ部が形成されていても良い。
【０００８】
このように構成することで、突起と窪み部を設けてリンク部材を複数連結しても、ＦＦＣ配索支持装置の外面に凹凸が少なくなるため、ＦＦＣ配索支持装置の可動がスムーズになる。また、テーパ部を設けることにより、簡便に装置を連結することができる。なお、本発明に係るフレキシブルフラットケーブル配索支持装置において、前記窪み部には、貫通した孔も含まれる。
【０００９】
また、本発明に係るフレキシブルフラットケーブル配索支持装置は、前記第１肉薄部の端部の一方の角がＲ状に形成され、前記第１段部の前記第１肉薄部のＲ状に形成された側の角が面取されており、前記第２肉薄部の端部の前記第１肉薄部のＲ状に形成された側と反対側の角がＲ状に形成され、前記第２段部の前記第２肉薄部のＲ状に形成された側の角が面取されており、前記第１肉薄部の端部のＲ状に形成された角の近傍の側面と他のリンク部材の前記第２段部の面取された角が当接するとともに、前記第２肉薄部のＲ状に形成された角の近傍の側面と他のリンク部材の前記第１段部の面取された角が当接し、かつ前記Ｒ状に形成された角と、対面する他のリンク部材の前記面取された角が同側に位置するように、リンク部材が連結されるように構成されていることを特徴とする。
【００１０】
このように構成されたリンク部材の段部及び端部の角を調整することにより、リンク部材が互いに回動する際に２つのリンク部材がなす角度を調整することができる。これにより様々な配索形状に対応することができ、また収縮の度合いも調整することができる。
【発明の効果】
【００１１】
本発明によれば、様々なケーブル配索の形状に対応でき、部品や組み立てにかかるコストの低いＦＦＣの配索支持装置を提供することができる。
【発明を実施するための最良の形態】
【００１２】
次に本発明に係るＦＦＣ配索支持装置の実施の形態を図面に基づいて説明する。
【００１３】
本実施の形態に係るＦＦＣ配索支持装置は、複数のリンク部材１０が連結されて構成されており、図１は、そのリンク部材１０のひとつを示す斜視図である。リンク部材１０は、並列された一対の縦材１１及び一対の縦材１１を接合する横材１２からなるＨ字状に形成されている。ここで、横材１２はＦＦＣを保持しやすいように平板状に形成され、その表面及び裏面が上方及び下方を向いている。縦材には、長手方向一方側の端部近傍が肉薄となるようにその外側に第１段部１３Ａが形成され、他方側の端部近傍の内側が肉薄となるように第２段部１３Ｂが形成されている。
【００１４】
図１に示すように、リンク部材１０の第１段部１３Ａよりも端部側の第１肉薄部１４Ａに、突起１５が形成されており、第２段部１３Ｂよりも端部側の第２肉薄部１４Ｂに、突起１５が嵌合可能な窪み部１６が形成されている。また、本実施の形態に係るリンク部材においては、第１段部１３Ａの高さと第２肉薄部１４Ｂの厚さが等しくなるように調整されており、第２段部１３Ｂと第１肉薄部１４Ａも同様に調整されている。また、突起１５は段部１３Ａの高さを超えない。突起１５の端部側には、テーパ部が形成され、窪み部１６が形成された第２肉薄部１４Ｂの端部にも、テーパ部が形成されている。
【００１５】
第１肉薄部１４Ａの端部の片側の角１７ＡはＲ状に形成され、第１段部１３Ａの第１肉薄部１４ＡのＲ状に形成された側の角１８Ａが面取されている。第２肉薄部１４Ｂの端部の角１７ＢもＲ状に形成され、第２段部１３Ｂの第２肉薄部１４ＢのＲ状に形成された側の角１８Ｂが面取されている。
【００１６】
図２は、リンク部材１０を２つ連結した状態を示す図である。図２（ａ）において、リンク部材１０の突起１５と窪み部１６が嵌合することにより、リンク部材１０がはしご状に連結される。本実施の形態における２つのリンク部材１０は、一のリンク部材の第１肉薄部１４Ａと他のリンク部材の第２肉薄部１４Ｂが重なるように連結される。段部の高さ及び肉薄部の厚さは調整されており、また、突起１５及び窪み部１６は肉薄部の段部を有する面に形成されているため、突起１５と窪み部１６を嵌合してリンク部材１０を連結した際にもＦＦＣ配索支持装置の外面に凹凸がない。また、連結の際には、突起と窪み部の形成された端部の設けられたテーパ部により、リンク部材の連結を容易に行うことができる。
【００１７】
２つのリンク部材は、突起１５と窪み部１６が嵌合することによって回動可能に結合されるように構成されているため、図２（ｂ）に示すように、２つの連結されたリンク部材は、くの字状に折れ曲がる。ここで、一のリンク部材の第１肉薄部１４Ａの端部の片側の角１７Ａ近傍の側面と他のリンク部材の第２段部１３Ｂの面取された角１８Ｂが当接するとともに、一のリンク部材の第２肉薄部１４Ｂの端部の片側の角１７Ｂ近傍の側面と他のリンク部材の第１段部１３Ａの面取された角１８Ａが当接する。突起１５及び窪み部１６は回動可能に構成されているが、２つの連結されたリンク部材のＲ上に形成された角と段部の面取がされた角が施されている側を内側に折りたたむように屈曲することとなる。この際、リンク部材に設けられた段部と、縦材の端部に設けられた面取が調節されることにより、２つのリンク部材がなす角度や折れ曲がる方向、折れ曲がった際の角度を調整することができる。
【００１８】
リンク部材１０をさらに連結することにより、ＦＦＣを支持することのできるフレキシブルフラットケーブル配索支持装置となる。図３は、リンク部材１０を連結し、フレキシブルフラットケーブル２０の表面２０Ａ及び裏面２０Ｂが交互に連結されたリンク部材１０の横材に接するように、フレキシブルフラットケーブル２０を収容した状態のフレキシブルフラットケーブル配索支持装置１００を示す斜視図である。このようにＦＦＣ２０を配置することにより、ＦＦＣが可動部に配索されても、開閉部に挟まれたり、隙間に入り込むことが防げる。
【００１９】
ここで、リンク部材のＲ上に形成された角と段部の面取が施される側を調節することにより、リンク部材は交互に逆方向に折れ曲がることができる。図４に示すように、リンク部材１０が交互に屈曲することにより、使用状況に合わせてＦＦＣ２０及び配索支持装置１００は伸縮することができる。ＦＦＣ２０の表面２０Ａと裏面２０Ｂは、リンク部材１０の横材の表面と裏面に交互に配置されており、配索支持装置１００が伸縮する際に、それぞれのリンク部材１０に沿うようにＦＦＣ２０は位置することとなる。そのため、ＦＦＣがはみ出すことがなく、また、ＦＦＣは横材により支持されているので、縮む際に配索支持装置やその他の部材に挟まれるなどして損傷することがない。
【００２０】
このように、本実施の形態によれば、Ｈ字状のリンク部材を連結することにより、様々なケーブル配索の形状に対応でき、部品や組み立てにかかるコストの低いＦＦＣの配索支持装置を提供することができる。
【００２１】
以上、本発明の実施の形態を説明したが、本発明はこれらに限定されるものではなく、発明の趣旨を逸脱しない範囲内において、種々の変更、追加等が可能である。
【００２２】
例えば、可動部のリンク部材の突起及び窪み部に潤滑材を塗布することにより、支持装置の屈曲性を向上させることができる。
【００２３】
図４では、連結されたＦＦＣ配索支持装置の連結部が交互に屈曲することにより伸縮することを示したが、これは伸縮に限らず、円弧状や階段状等ＦＦＣの配索される形状に沿うように配置することも可能である。そして、これらの形状の調整は段部と端部の面取の方向の調整により行うことが可能である。
【００２４】
また、図５において示すように、連結されたＦＦＣ配索支持装置の端部には、ＦＦＣ２０を固定するための固定部３０を設けることができる。これによりＦＦＣを固定することができ、撓みのないＦＦＣの配索を実現することができる。また、端部への固定部３０の連結は、ＦＦＣ配索支持装置と同様な突起を固定部に設けることにより、容易に行うことができる。
【００２５】
ＦＦＣ配索支持装置は、図６に示すような保護材４０、例えばゴム製の筒によって覆われることにより、外部からの衝撃やゴミ、水分等の付着を防ぎ、より故障の少ないＦＦＣの配索を提供することができる。この場合、筒状の保護材はＦＦＣ配索支持装置の屈曲や伸縮に対応するように形成されていることが望ましい。
【００２６】
本発明におけるＦＦＣ配索支持装置は、自動車のスライドドア、スライドシート、トランク等ハーネスが伸縮や屈曲構造を必要とする場所に用いることができる。また、自動車に限らず冷蔵庫等の可動部を有し、且つ、電気の供給を必要とする様々な電気製品の部位に使用することができる。
【００２７】
また、本発明のフレキシブルフラットケーブル配索支持装置は、実施の形態に示すフレキシブルフラットケーブルの他にフレキシブルプリント回路（FPC）等のフラット配線材を配索する際にも用いることができる。
【図面の簡単な説明】
【００２８】
【図１】本発明におけるリンク部材の斜視図である。
【図２】本発明におけるリンク部材を連結させた状態の斜視図である。
【図３】本発明に係るフレキシブルフラットケーブル配索支持装置にフレキシブルフラットケーブルを配置した状態を示す斜視図である。
【図４】本発明に係るフレキシブルフラットケーブル配索支持装置の縮み時の状態を示す斜視図である。
【図５】本発明に係るフレキシブルフラットケーブル配索支持装置の端部に固定部を設けた状態を示す斜視図である。
【図６】本発明に係るフレキシブルフラットケーブル配索支持装置の保護材を示す斜視図である。
【符号の説明】
【００２９】
１０・・・リンク部材、  １１・・・縦材、  １２・・・横材、  １３・・・段部、  １４・・・肉薄部、  １５・・・突起、  １６・・・窪み部、  １７・・・肉薄部の角、  １８・・・段部の角、  ２０・・・フレキシブルフラットケーブル、  ３０・・・固定部、  ４０・・・保護材、  １００・・・フレキシブルフラットケーブル配索支持装置
【図１】
2008211936.tif 000003
【図２】
2008211936.tif 000004
【図３】
2008211936.tif 000005
【図４】
2008211936.tif 000006
【図５】
2008211936.tif 000007
【図６】
2008211936.tif 000008